(57)【要約】【課題】屋外固定物を固定するためのボルトの腐蝕部分に従来の固定部材と同様の長さの固定部材を容易にかつ充分強固に係合させて屋外固定物を固定できるようにすることにある。【解決手段】屋外固定物５を固定するための、ボルト２を用いた固定方法において、ボルト２の雄ねじ２ａに装着可能な寸法の貫通孔７ａを形成した固定部材７のその貫通孔７ａにボルト２の腐食した部分の雄ねじ２ａを挿通し、固定部材７を雄ねじ２ａへ向けて圧縮塑性変形させてボルト２の腐食した部分の雄ねじ２ａに固定部材７の貫通孔７ａの内周面を係合させることで、ボルト２に固定部材７を係合させて屋外固定物５を固定することを特徴とするものである。【選択図】図１
2010248854.tif 000002
【特許請求の範囲】
【請求項１】
屋外固定物を固定するための、ボルトを用いた固定方法において、
前記ボルトの雄ねじに装着可能な寸法の貫通孔を形成した固定部材のその貫通孔に前記ボルトの腐食した部分の雄ねじを挿通し、
前記固定部材を前記雄ねじへ向けて圧縮塑性変形させて前記ボルトの腐食した部分の雄ねじに前記固定部材の前記貫通孔の内周面を係合させることで、前記ボルトに前記固定部材を係合させて前記屋外固定物を固定することを特徴とする、屋外固定物の固定方法。
【請求項２】
前記固定部材の前記貫通孔に雌ねじが形成され、
前記固定部材を前記雄ねじへ向けて圧縮塑性変形させて前記ボルトの腐食した部分の雄ねじに前記固定部材の前記雌ねじを係合させることを特徴とする、請求項１に記載の屋外固定物の固定方法。
【請求項３】
前記固定部材を前記雄ねじへ向けて圧縮塑性変形させて前記ボルトの腐食した部分の雄ねじに前記固定部材の前記貫通孔の内周面を係合させる際に、併せて前記雄ねじの、前記固定部材から突出している部分を切断することを特徴とする、請求項１または２に記載の屋外固定物の固定方法。
【請求項４】
前記屋外固定物は、既設スレート葺屋根上に被覆配設して固定する補修用金属製折曲げ屋根材であることを特徴とする、請求項１〜３のいずれか１項に記載の屋外固定物の固定方法。
【発明の詳細な説明】
【技術分野】
【０００１】
本発明は、工場や倉庫・店舗等の屋根葺に用いられているスレート屋根材を補修するための金属製折曲げ屋根材等の屋外固定物を固定する際に用いられる固定方法に関するものである。
【背景技術】
【０００２】
従来、老朽化したスレート葺屋根の補修を行う場合、先ず古くなったスレート屋根材を取り外し、次いで新たなスレート屋根材等を取付けて新しい屋根を葺上げる方法が一般的であるが、この工法では、特に工場等の場合、その葺替工事の間、作業を長期間に亘って休止しなければならないという問題があった。また、取り外したスレート屋根材はその多くがセメントの他に１０〜２０ｍａｓｓ％程度の石綿をも含むものであるため、近年は、この大量に発生する廃棄物の処理が環境汚染になるという問題があった。さらに、葺替工事中は屋根がなくなるため、風雨を凌ぐための養生を行うことが必要になり、しかも骨組だけになるため危険が伴い、かつ室内足場などを必要とするという問題もあった。
【０００３】
そこで、従来、老朽化したスレート葺屋根を取り壊すことなく、その上を金属製折曲げ屋根材にて覆うことによりスレート葺屋根を補修する方法が、例えば特許文献１，２により開示されて知られている。
【０００４】
即ち、特許文献１では、既設の波形スレート葺屋根を固定しているフックボルトに、固定金具としてのサドル部材を、その中央に設けられた通孔を介して挿通すると共に、該通孔から突出したフックボルトに、固定部材としての新規の長ナットを螺合させて締付け固定し、次にそのサドル部材上に、前記長ナットを跨ぐ高さで断面凸状に折曲成形された垂木部材を載置し、該垂木部材上に設けた金属製折曲げ屋根材の山部（凸部）から垂木部材に至るまで止着部材を挿通させることにより、金属製折曲げ屋根材を垂木部材上に支持固定する二重葺き屋根構造を提案している。
【０００５】
また、特許文献２では、既存の波形スレート板を固定しているフックボルトに、そのスレート板の略１山分に跨る固定金具としての支持金具を、その中央に設けられた挿入孔から挿通すると共に、フックボルトに弾性的に嵌着される固定部材としての止め板によって上側から押さえて固定し、次にその支持金具上に、新規の外装下地材を載置して固定具によって固着した後、該外装下地材上に新規の金属製折曲げ屋根材（外装材）を載置し、その金属製折曲げ屋根材の凸部上方から外装下地材に至るまでドリルビスを打入させることにより、金属製折曲げ屋根材を外装下地材上に支持固定する外装材葺替え構造を提案している。
【先行技術文献】
【特許文献】
【０００６】
【特許文献１】特許第３４８４６３０号公報
【特許文献２】特開２００３−１８４２２８号公報
【発明の概要】
【発明が解決しようとする課題】
【０００７】
ところで、上記特許文献１および特許文献２で開示された従来技術は、屋外固定物としての補修用金属製折曲げ屋根材およびその固定のための垂木部材や下地材を固定するために、既設の波形スレート葺屋根を固定しているフックボルトの、固定金具を貫通した部分に固定部材としての長ナットや止め板を係合させて、それらフックボルトと、長ナットや止め板とで固定具を構成している。
【０００８】
しかしながら、上記固定具において、既設の波形スレート葺屋根を固定しているフックボルトは、屋外環境に長期間晒されていたため腐食により雄ねじのねじ山が損耗している場合が多く、かかるフックボルトの腐食部分の、ねじ山の損耗の程度が激しい雄ねじでは、長ナットや止め板をしっかりと係合させることが困難な場合がある。そして長ナットや止め板の係合が不充分な場合には、フックボルトへの補修用金属製折曲げ屋根材の強固な固定ができず、補修用金属製折曲げ屋根材が強風時に外れて飛散する可能性が必ずしも否定できない。
【０００９】
このため、例えば上記特許文献１記載の構成では、フックボルトの腐蝕がひどい場合は長ナットをさらに長くして係合長さを稼ぐことも考えられるが、長ナットをさらに長くすると下地の高さに収容される範囲に長ナットが収まらず、二重葺き屋根構造の構成に支障が生じてしまう。
【００１０】
そこで、本発明は、屋外固定物を固定する際に固定具のボルトの腐蝕部分に、従来の固定部材と同様の軸線方向長さの固定部材を容易にかつ充分強固に係合させる固定方法を提供することを目的としている。
【課題を解決するための手段】
【００１１】
上記課題を有利に解決する本発明の屋外固定物の固定方法は、屋外固定物を固定するための、ボルトを用いた固定方法において、前記ボルトの雄ねじに装着可能な寸法の貫通孔を形成した固定部材のその貫通孔に前記ボルトの腐食した部分の雄ねじを挿通し、前記固定部材を前記雄ねじへ向けて圧縮塑性変形させて前記ボルトの腐食した部分の雄ねじに前記固定部材の前記貫通孔の内周面を係合させることで、前記ボルトに前記固定部材を係合させて前記屋外固定物を固定することを特徴とするものである。
【発明の効果】
【００１２】
上述した本発明の屋外固定物の固定方法によれば、固定部材の、屋外固定物を固定するためのボルトの雄ねじに装着可能な寸法の貫通孔に、そのボルトの腐食した部分の雄ねじを挿通した状態で、前記固定部材を前記雄ねじへ向けて圧縮塑性変形させて、前記ボルトの腐食した部分の雄ねじに前記固定部材の前記貫通孔の内周面を係合させることで、前記ボルトに前記固定部材を係合させて前記屋外固定物を固定するので、雄ねじのねじ山の損耗の程度が激しい場合でも、そして前記固定部材が従来の固定部材と同様の軸線方向長さのものでも、その固定部材を容易にかつ充分強固にボルトに係合させて屋外固定物を固定することができる。
【００１３】
なお、本発明の屋外固定物の固定方法においては、前記固定部材の前記貫通孔に雌ねじが形成され、前記固定部材を前記雄ねじへ向けて圧縮塑性変形させて前記ボルトの腐食した部分の雄ねじに前記固定部材の前記雌ねじを係合させることで、前記ボルトに前記固定部材を係合させることができ、このようにすれば、固定部材を雄ねじへ向けて圧縮塑性変形させると、固定部材の貫通孔の内周面に形成された雌ねじがボルトの腐食した部分の雄ねじに係合するので、ボルトへ固定部材の係合状態をより確実なものとすることができる。
【００１４】
また、本発明の屋外固定物の固定方法においては、前記固定部材を前記雄ねじへ向けて圧縮塑性変形させて、前記ボルトの腐食した部分の雄ねじに前記固定部材の前記貫通孔の内周面を係合させる際に、併せて前記雄ねじの、前記固定部材から突出している部分を切断することができ、このようにすれば、固定部材の圧縮塑性変形作業と同時にボルトの余長切断作業を行うことができる。
【００１５】
そして、本発明の屋外固定物の固定方法においては、前記屋外固定物は、既設スレート葺屋根上に被覆配設して固定する補修用金属製折曲げ屋根材であることができ、このようにすれば、既設スレート葺屋根上に被覆配設した補修用金属製折曲げ屋根材を強固に固定し得て、補修用金属製折曲げ屋根材が強風時に外れて飛散するのを有効に防止することができる。
【図面の簡単な説明】
【００１６】
【図１】本発明の屋外固定物の固定方法の一実施形態にかかるスレート葺屋根補修構造を示す断面図である。
【図２】（ａ），（ｂ）および（ｃ）は、上記実施形態の屋外固定物の固定方法で固定するクランプ金具を示す斜視図、底面図および側面図である。
【図３】上記実施形態の屋外固定物の固定方法で固定部材を圧縮塑性変形させる方法を示す説明図である。
【図４】上記実施形態の屋外固定物の固定方法で圧縮塑性変形させた固定部材をクランプ金具の一部と共に拡大して示す平面図である。
【図５】本発明の屋外固定物の固定方法の他の一実施形態にかかる太陽電池パネル取り付け構造を示す側面図である。
【図６】（ａ）および（ｂ）は、図４中のＡ部を拡大して図４と同方向およびそれと直角な方向からそれぞれ示す断面図である。
【発明を実施するための形態】
【００１７】
図１に示す、本発明の屋外固定物の固定方法の一実施形態にかかるスレート葺屋根補修構造は、溝型鋼材などで構成される母屋１上にフックボルト２を介して固定されたスレート屋根材３の丸形凸部３ａのうちの、上記フックボルト２の設置部分に屋根材固定用の固定金具としてのクランプ金具４を配置し、このクランプ金具４を介してその上に、屋外固定物としてのカバールーフである金属製折曲げ屋根材５を固定して、老朽化したスレート葺屋根をその上から金属製折曲げ屋根材５で覆うことにより、該スレート葺屋根の補修を行った様子を示している。
【００１８】
図２（ａ）〜（ｃ）は、上記クランプ金具４の一例を示しており、図示のようにこのクランプ金具４は、矩形状の金属製板材を樋状に折曲することで、中央に上面部４ｃを設けるとともに、その上面部４ｃの左右側縁に対し左右傾斜部４ａ，４ｂを設け、さらにそれら左右傾斜部4ａ，4ｂの側縁に対しスレート屋根材３の丸形凸部３ａの傾斜面に沿うように傾斜した左右鍔片４ｄ，４ｅを設けたものである。このクランプ金具４の上面部４ｃの長手方向の中央部には凹部６が形成され、この凹部６の底壁には上記フックボルト２を挿通するために、幅方向に長い長円状のボルト挿通孔６ａが形成されている。
【００１９】
また、このクランプ金具４の左右傾斜部４ａ，４ｂには、それら左右傾斜部４ａ，４ｂをエンボス加工することで内向きに窪んだ窪み部８，９が設けられており、これら窪み部８，９は、クランプ金具４をスレート屋根材３の丸形凸部３ａ上に載置した際に、クランプ金具４の荷重が左右鍔片４ｄ，４ｅからスレート屋根材３の丸形凸部３ａの傾斜面に集中して加わるのを防ぐためのものである。すなわち、これらくぼみ部８,９は左右傾斜部４ａ，４ｂの内面側では凸部を形成し、それらの凸部の下端面が左右鍔片４ｄ，４ｅの下面に連なっているので、クランプ金具４の荷重は丸形凸部３ａの頂部付近にも分散されることになり、例えば施工中に作業員がクランプ金具４を踏む等して荷重がかかった場合にも、スレート屋根材３が局部的に破損するおそれがなくなる。
【００２０】
さらに、このクランプ金具４の左右傾斜部４ａ，４ｂには、凹部６の長円状ボルト挿通孔６ａに隣接する部分に、この部分を球殻状に外側に膨らませて膨出部１０ａ，１０ｂが設けられており、これら膨出部１０ａ，１０ｂは、フックボルト２の締め付け用のナット１１や座金１２が、芯ズレしている場合に、左右傾斜部４ａ，４ｂと干渉することがないようにするためのものである。すなわち、スレート屋根材固定用のフックボルト２が、スレート屋根材３の丸形凸部３ａの頂点に対し芯ズレしていて、長円状ボルト挿通孔６ａの中央でなく端部を貫通するような場合でも、該フックボルト２を締め付けているナット１１や座金１２が、これら膨出部１０ａ，１０ｂ内に逃げて、左右傾斜部４ａ，４ｂと干渉することがないので、クランプ金具４をスレート屋根３上にしっかりと固定することができる。
【００２１】
ところで、このクランプ金具４は、上述のようにスレート屋根材３の所定位置の丸形凸部３ａの、フックボルト２の設置部分上に載置されると共に、図１，２に示す如く、上記ボルト挿通孔６ａに挿通されたフックボルト２と、そのフックボルト２の雄ねじ２ａにその上端から挿通された固定部材７との係合によって該ストレート屋根材３上に強固に固定されて、その上面部４ｃに固定ねじ１３等で固着された金属製折曲げ屋根材５を母屋１に固定する。すなわちフックボルト２と固定部材７とは、クランプ金具４を介して金属製折曲げ屋根材５を母屋１に固定する機能を果たすものである。
【００２２】
スレート屋根材３を長期間固定しているフックボルト２の雄ねじ２ａは、少なくともナット１１よりも先端側の部分で、屋外の風雨等に晒されて表面が腐食して、その雄ねじ寸法が細くなっている場合が多い。それゆえここにおける固定部材７は、フックボルト２のそのように腐蝕してねじ山の損耗の程度が激しい（ねじ山が殆どなくなっている）部分でもしっかりと確実に係合するように、例えば通常のナット用い、それを圧縮塑性変形させるものとする。すなわち、この固定部材７は、例えばフックボルト２の腐食前の正規の雄ねじ寸法（例えば呼び径６ｍｍのメートル並み目ねじあるいは呼び径１／４インチ（２分）のウイットねじ）に螺合する雌ねじ寸法と同等もしくはそれよりも例えば１〜２ｍｍ大径の雌ねじ７ａを有する通常のフランジ付きナットとしている。
【００２３】
かかる固定部材７の雌ねじ７ａに、この実施形態の固定方法では、図２（ａ）に示すように、フックボルト２の腐食した部分の雄ねじ２ａをねじ込み、あるいは雌ねじ７ａとの間に遊びがあれば遊挿することで挿通し、次いで図３に示すように、その固定部材７を電動加締め工具２１で、雌ねじ７ａの半径方向内方へ圧縮塑性変形させることで、フックボルト２に固定部材７を係合させてクランプ金具４を固定し、これにより、金属製折曲げ屋根材５を母屋１に固定する。
【００２４】
ここで、電動加締め工具２１は、図示しないモータでポンプを駆動してピストンロッド２１ａを液圧で進退移動させるとともに、それぞれピン２２を介して揺動可能に一端部を支持した二本の腕部材２３を有し、それら二本の腕部材２３の中間部にそれぞれピン２４を介して揺動可能に二本の連結部材２５の一端部を支持し、それら二本の連結部材２５の他端部をピストンロッド２１ａにピン２６を介して連結し、それら二本の腕部材２３の他端部（図では下端部）に二個の加締め爪２７をそれぞれ固定してなり、二個の加締め爪２７は、互いに対向する内方端部をそれぞれＬ字状に切り欠かれて、それらの切り欠き部に互いに対向する二つの押圧面２７ａを有するとともに、それらの切り欠き部に隣接する内方端部に外方およびピストンロッド２１ａ方向へ向かって斜めに延在する二箇所の溝部２７ｂを有している。
【００２５】
かかる電動加締め工具２１は、図３に示すように、クランプ金具４の中央の凹部６に二個の加締め爪２７を対向させて、二つの押圧面２７ａの間に固定部材７を位置させるとともに、フックボルト２の腐食した部分の雄ねじ２ａのうち固定部材７の雌ねじ７ａから突出した部分を二箇所の溝部２７ｂの間に位置させ、上記モータでポンプを駆動してピストンロッド２１ａを液圧で図中矢印で示すように進出移動させると、そのピストンロッド２１ａの進出移動によりに二本の連結部材２５のなす角が減少して二本の腕部材２３が互いに接近する方向へ揺動し、これにより二個の加締め爪２７が図中矢印で示すように互いに接近する方向へ移動して、二つの押圧面２７ａで固定部材７を押圧して圧縮塑性変形させる（加締める）とともに、二つの溝部２７ｂの溝底の互いに対向する内方端部で、フックボルト２の腐食した部分の雄ねじ２ａのうち固定部材７の雌ねじ７ａから突出した部分の基部を挟み込んで切断する。
【００２６】
そして上記固定部材７の圧縮塑性変形の際には、フックボルト２の腐食した部分の雄ねじ２ａと固定部材７の雌ねじ７ａとが概ね嵌合した状態で、フックボルト２の腐食した部分の雄ねじ２ａに固定部材７の雌ねじ７ａの山が食い込んで、そのフックボルト２の腐食した部分の雄ねじ２ａに固定部材７の雌ねじ７ａが強固に係合する。なお、固定部材７の圧縮塑性変形量は、雌ねじ７ａの山が、雄ねじ２ａの中心軸線に対し片側で例えば表面からの腐蝕深さに０．１ｍｍ〜０．５ｍｍ程度の所定食い込み深さを加えた分雄ねじ２ａの谷に食い込むものとする。すなわち、固定部材７が、例えばフックボルト２の腐食前の正規の雄ねじ寸法に螺合する雌ねじ７ａを有する場合は、固定部材７の圧縮塑性変形量は０．２ｍｍ〜１ｍｍ程度とし、固定部材７が、例えばフックボルト２の腐食前の正規の雄ねじ寸法に螺合する雌ねじ寸法より２ｍｍ大径の雌ねじ７ａを有する場合は、固定部材７の圧縮塑性変形量は２ｍｍ〜３ｍｍ程度とすると、フックボルト２の腐食した部分の雄ねじ２ａに固定部材７の雌ねじ７ａが強固に係合するので好ましい。
【００２７】
このようにしてフックボルト２の腐食した部分の雄ねじ２ａに固定部材７の雌ねじ７ａが係合した後は、電動加締め工具２１のピストンロッド２１ａを後退移動させると、上記と逆に二個の加締め爪２７が互いに離間する方向へ移動して、固定部材７を解放する。図４は、電動加締め工具２１で圧縮塑性変形させてフックボルト２に係合させた固定部材７を、クランプ金具４の中央部と共に拡大して示している。
【００２８】
従って、この実施形態の固定方法によれば、固定部材７の、フックボルト２の雄ねじ２ａに装着可能な寸法の貫通孔としてのねじ孔にフックボルト２の腐食した部分の雄ねじ２ａを挿通した状態で、固定部材７を雄ねじ２ａへ向けて圧縮塑性変形させて、フックボルト２の腐食した部分の雄ねじ２ａに固定部材７のねじ孔の内周面にある雌ねじ７ａを係合させることで、フックボルト２に固定部材７を係合させて、屋外固定物としての金属製折曲げ屋根材５を母屋１に強固に固定することができるので、雄ねじ２ａのねじ山の損耗の程度が激しい場合でも、そして固定部材７が従来の固定部材１１と同様の軸線方向長さのものでも、その固定部材７を容易にかつ充分強固にフックボルト２に係合させて、補修用の金属製折曲げ屋根材５が強風時に外れて飛散するのを有効に防止することができる。
【００２９】
しかもこの実施形態の屋外固定物の固定方法によれば、固定部材７のねじ孔に雌ねじ７ａが形成され、固定部材７を雄ねじ２ａへ向けて圧縮塑性変形させてフックボルト２の腐食した部分の雄ねじ２ａに固定部材７の雌ねじ７ａを係合させることで、フックボルト２に固定部材７を係合させるので、フックボルト２へ固定部材７の係合状態をより確実なものとすることができる。
【００３０】
さらにこの実施形態の屋外固定物の固定方法によれば電動加締め工具２１が、固定部材７を雄ねじ２ａへ向けて圧縮塑性変形させてフックボルト２の腐食した部分の雄ねじ２ａに固定部材７の雌ねじ７ａを係合させる際に、併せて雄ねじ２ａの、固定部材７から突出している部分を切断するので、固定部材７の圧縮塑性変形作業と同時にフックボルト２の余長切断作業を行うことができる。
【００３１】
一方、クランプ金具４の凹部６は、図１に示すように、深さが固定部材７の高さと同等もしくはそれ以上となるように形成されている。このように構成することにより、固定部材７をフックボルト２に係合させてクランプ金具４を既設のスレート屋根３上に固定した際に、固定部材７の上端が該クランプ金具４の上面部４ｃを越えないので、固定部材７がクランプ金具４から突出することがない。またクランプ金具４を固定部材７によってフックボルト２に固定する際に、電動加締め工具２１が、フックボルト２の先端部の余長をクランプ金具４の上面部４ｃの高さ以下まで切断するので、フックボルト２もクランプ金具４の凹部６内に収まるようになる。
【００３２】
従って、この実施形態の固定方法によれば、新設の金属製折曲げ屋根材５をクランプ金具４上に載置する際に、固定部材７およびフックボルト２が金属製折曲げ屋根材５に当接することがないので、クランプ金具４の高さ程度まで金属製折曲げ屋根材５の山部高さを下げることができ、これにより、金属製折曲げ屋根板５をクランプ金具４に、その上面部４ｃへの固定ねじ１３のねじ込み等によって直接固着することができるとともに、金属製折曲げ屋根材５に、一般に普及している屋根材（９１４ｍｍ幅）を使用して、補修屋根構造を全体に低く（フラットに）仕上げることができるので、葺き上げた補修屋根を安定したものとすることができる。
【００３３】
このような葺屋根施工によって、老朽化したスレート葺屋根は、カバールーフである新しい金属製折曲げ屋根材５によってその全面が覆われ、スレート屋根材３等の既設屋根設備を全く解体することなく補修することができるようになる。
【００３４】
図５は、本発明の屋外固定物の固定方法の他の一実施形態にかかる太陽電池パネル取り付け構造を示す側面図であり、この実施形態の固定方法は、既存のスレート葺屋根のスレート屋根材３を母屋１上に固定しているフックボルト２に、溝型形状の固定金具１４と、それと同様の溝型形状の長尺の下地材１５とを介して太陽電池パネル１６を固定するものである。なお、ここで用いる固定具は、先の実施形態の固定具と同様のものである。
【００３５】
この実施形態の固定方法では、図６（ａ），（ｂ）に拡大して示すように、開口側を上向きにした固定金具１４の底部に設けたボルト挿通孔１４ａに、フックボルト２の、ナット１１よりも先端側の腐食した部分を挿通して、その腐食した部分の雄ねじ２ａを、先の実施形態におけると同様の固定部材７の雌ねじ７ａ内にねじ込み、あるいは遊挿して挿通してから、電動加締め工具２１で、固定部材７を雄ねじ２ａへ向けて圧縮塑性変形させることで、フックボルト２の腐食した部分の雄ねじ２ａに固定部材７の雌ねじ７ａを係合させて固定金具１４をフックボルト２に固定し、併せて、腐食した部分の雄ねじ２ａの余長を切断する。
【００３６】
次いでここでは、固定金具１４の開口部に開口部を対向させて固定金具１４上に下地材１５を配置し、固定金具１４と下地材１５とのフランジ同士を例えば固定ねじ１３のねじ込み等によって固着させ、そしてその下地材１５上に太陽電池パネル１６を載置して、その下地材１５に太陽電池パネル１６を例えば固定ねじ１３のねじ込み等によって固着させ、これにより、太陽電池パネル１６を母屋１に固定する。
【００３７】
そして上記固定部材７の圧縮塑性変形の際には、フックボルト２の腐食した部分の雄ねじ２ａと固定部材７の雌ねじ７ａとが概ね嵌合した状態で、フックボルト２の腐食した部分の雄ねじ２ａに固定部材７の雌ねじ７ａの山が食い込んで、そのフックボルト２の腐食した部分の雄ねじ２ａに固定部材７の雌ねじ７ａが強固に係合する。
【００３８】
従って、この実施形態の固定方法によれば、フックボルト２の腐食した部分に、上記固定部材７を容易にかつ充分強固に係合させて、屋外固定物としての太陽電池パネル１６を母屋１に強固に固定することができるので、太陽電池パネル１６が強風時に外れて飛散するのを有効に防止することができる。
【００３９】
以上、図示の実施形態に基づき説明したが、この発明の固定方法および固定具は、上述の実施形態に限定されるものでなく、特許請求の範囲の記載範囲内で適宜変更することができるものであり、例えば、固定部材７の貫通孔は、雌ねじ７ａを有さず筒状をなしていても良い。あるいは固定部材７が全体的に筒状をなす一方、二個の加締め爪２７の押圧面２７ａが雄ねじ２ａの軸線方向に延在する波型をなしていて、その波型の押圧面２７ａによる固定部材７の圧縮塑性変形により、固定部材７の内周面が波型に変形して雄ねじ２ａを挟み込むようにしても良い。さらに、図２では、固定部材７はフランジ付きのものを示したが、フランジがなくても良い。
【００４０】
また、ボルトを用いた固定具で固定される屋外固定物は、上述した補修工法で用いる金属製折曲げ屋根材５や、新設あるいは交換した太陽電池パネル１６に限られず、例えば、屋根上に設置するものでは、太陽電池パネル以外の太陽電池機器や、空調機器のクーリングタワー、アンテナ、ベンチレーター、雪止め器具等であっても良く、また建物側部に設置する壁材であっても良い。さらに、固定具のボルトは、屋根建材製品としての、金属屋根材の大波、小波や、塩化ビニール樹脂屋根材、ポリカーボネート屋根材、ＦＲＰ屋根材等を固定するフックボルトであっても良い。そして、固定具のボルトは、フックボルトに限られず、部材に係合する頭部を持つ通常のボルトや、部材にねじ込み固定されるアンカーボルト等であっても良い。
【産業上の利用可能性】
【００４１】
かくして本発明の屋外固定物の固定方法によれば、固定部材の、屋外固定物を固定するためのボルトの雄ねじに装着可能な寸法の貫通孔に、そのボルトの腐食した部分の雄ねじを挿通した状態で、前記固定部材を前記雄ねじへ向けて圧縮塑性変形させて、前記ボルトの腐食した部分の雄ねじに前記固定部材の前記貫通孔の内周面を係合させることで、前記ボルトに前記固定部材を係合させて前記屋外固定物を固定するので、雄ねじのねじ山の損耗の程度が激しい場合でも、そして前記固定部材が従来の固定部材と同様の軸線方向長さのものでも、その固定部材を容易にかつ充分強固にボルトに係合させて屋外固定物を固定することができる。
【符号の説明】
【００４２】
１  母屋
２  フックボルト
２ａ  雄ねじ
３  スレート屋根材
３ａ  スレート屋根材の丸形凸部
４  クランプ金具
４ａ  左傾斜部
４ｂ  右傾斜部
４ｃ  上面部
４ｄ  左鍔片
４ｅ  右鍔片
５  金属製折曲げ屋根材
６  凹部
６ａ  ボルト挿入孔
７  固定部材
７ａ  雌ねじ
８，９  窪み部
１０ａ，１０ｂ  膨出部
１１  ナット
１２  座金
１３  固定ねじ
１４  固定金具
１４ａ  ボルト挿通孔
１５  下地材
１６  太陽電池パネル
２１  電動加締め工具
２１ａ  ピストンロッド
２２，２４，２６  ピン
２３  腕部材
２５  連結部材
２７  加締め爪
２７ａ  押圧面
２７ｂ  溝部
【図１】
2010248854.tif 000003
【図２】
2010248854.tif 000004
【図３】
2010248854.tif 000005
【図４】
2010248854.tif 000006
【図５】
2010248854.tif 000007
【図６】
2010248854.tif 000008